(57)【要約】【課題】光源ユニットをリフレクタ又はハウジングに作業性良く組み付けることができる車両用灯具を提供すること。【解決手段】ＬＥＤ（光源）を搭載して成るＬＥＤユニット（光源ユニット）６をリフレクタ５（又はハウジング）に組み付け、前記ハウジングの開口部をレンズで覆って構成された車両用灯具において、前記ＬＥＤユニット６にガイド突起１０を一体に突設し、該ガイド突起１０に前記リフレクタ５（又はハウジング）の内面に沿うガイド面１０Ａを形成する。又、前記ガイド突起１０のガイド面１０Ａに、前記ＬＥＤユニット６の前記リフレクタ５（又はハウジング）への組付方向に沿うリブを突設する。更に、前記リフレクタ５（又はハウジング）の内面の一部に、前記ＬＥＤユニット６の組み付けの目印としての位置決め用リブ５ｄを形成する。【選択図】図２
2010153309.tif 000002
【特許請求の範囲】
【請求項１】
光源を搭載して成る光源ユニットをリフレクタ又はハウジングに組み付け、前記ハウジングの開口部をレンズで覆って構成された車両用灯具において、
前記光源ユニットにガイド突起を一体に突設し、該ガイド突起に前記リフレクタ又はハウジングの内面に沿うガイド面を形成したことを特徴とする車両用灯具。
【請求項２】
前記ガイド突起のガイド面に、前記光源ユニットの前記リフレクタ又はハウジングへの組付方向に沿うリブを突設したことを特徴とする請求項１記載の車両用灯具。
【請求項３】
前記リフレクタ又はハウジングに、前記光源ユニットに搭載された光源とは別の光源が臨む開口部を形成し、前記ガイド突起に、前記リフレクタ又はハウジングの開口部の周縁に沿う遮光面を形成したことを特徴とする請求項１又は２記載の車両用灯具。
【請求項４】
前記リフレクタ又はハウジングの内面の一部に、前記光源ユニットの組み付けの目印としての位置決め用リブを形成したことを特徴とする請求項１〜３の何れかに記載の車両用灯具。
【請求項５】
前記光源ユニットに搭載された光源は複数のＬＥＤであることを特徴とする請求項１〜４の何れかに記載の車両用灯具。
【発明の詳細な説明】
【技術分野】
【０００１】
本発明は、ＬＥＤ等の光源を搭載して成る光源ユニットをリフレクタ又はハウジングに組み付けて構成される車両用灯具に関するものである。
【背景技術】
【０００２】
車両用灯具には、光源として複数のＬＥＤを搭載したＬＥＤユニットをリフレクタ又はハウジングに組み付け、ハウジングの開口部を透光性樹脂等から成るレンズで覆って構成されるものがある（例えば、特許文献１参照）。
【０００３】
斯かる車両用灯具においては、ＬＥＤユニットをリフレクタ又はハウジングに正確に位置決めしながら組み付けることができるよう、両者に凹凸嵌合等の位置決め手段が設けられている。
【特許文献１】特開２００７−０５９３４７号公報
【発明の開示】
【発明が解決しようとする課題】
【０００４】
上記従来の車両用灯具においては、位置決め手段によってＬＥＤユニットを位置決めしながらリフレクタ又はハウジングに正確に組み付けることは可能であるが、組み付けをガイドするガイド手段や組み付けの目印となるものが存在しなかったため、組付作業が容易でなく、組付位置を目視で確認することができないために組付作業性が悪いという問題があった。
【０００５】
本発明は上記問題に鑑みてなされたもので、その目的とする処は、光源ユニットをリフレクタ又はハウジングに作業性良く組み付けることができる車両用灯具を提供することにある。
【課題を解決するための手段】
【０００６】
上記目的を達成するため、請求項１記載の発明は、光源を搭載して成る光源ユニットをリフレクタ又はハウジングに組み付け、前記ハウジングの開口部をレンズで覆って構成された車両用灯具において、前記光源ユニットにガイド突起を一体に突設し、該ガイド突起に前記リフレクタ又はハウジングの内面に沿うガイド面を形成したことを特徴とする。
【０００７】
請求項２記載の発明は、請求項１記載の発明において、前記ガイド突起のガイド面に、前記光源ユニットの前記リフレクタ又はハウジングへの組付方向に沿うリブを突設したことを特徴とする。
【０００８】
請求項３記載の発明は、請求項１又は２記載の発明において、前記リフレクタ又はハウジングに、前記光源ユニットに搭載された光源とは別の光源が臨む開口部を形成し、前記ガイド突起に、前記リフレクタ又はハウジングの開口部の周縁に沿う遮光面を形成したことを特徴とする。
【０００９】
請求項４記載の発明は、請求項１〜３の何れかに記載の発明において、前記リフレクタ又はハウジングの内面の一部に、前記光源ユニットの組み付けの目印としての位置決め用リブを形成したことを特徴とする。
【００１０】
請求項５記載の発明は、請求項１〜４の何れかに記載の発明において、前記光源ユニットに搭載された光源は複数のＬＥＤであることを特徴とする。
【発明の効果】
【００１１】
請求項１記載の発明によれば、光源ユニットのリフレクタ又はハウジングへの組み付けに際しては、該光源ユニットに一体に突設されたガイド突起のガイド面をリフレクタ又はハウジングの内面に嵌合させた状態で光源ユニットをスライドさせることができるため、該光源ユニットがリフレクタ又はハウジングの内面によってガイドされて所定の位置に迅速且つ高精度に位置決めされて組み付けられる。このため、光源ユニットをリフレクタ又はハウジングに作業性良く組み付けることができる。又、作業者はガイド突起を持って光源ユニットを組み付けることができるため、これによっても組付作業性が高められる。
【００１２】
請求項２記載の発明によれば、光源ユニットのリフレクタ又はハウジングへの組み付けに際して該光源ユニットをリフレクタ又はハウジングの内面に沿ってスライドさせる動作において、ガイド突起のガイド面の全面がリフレクタ又はハウジングの内面に接触するのではなく、ガイド面に突設されたリブが接触し、その接触面積は小さいために光源ユニットの摺動抵抗が小さく抑えられ、該光源ユニットをスムーズにスライドさせてこれをリフレクタ又はハウジングに組み付けることができる。
【００１３】
請求項３記載の発明によれば、光源ユニットとは別の光源から出射される光の開口部からの漏れが光源ユニットのガイド突起に形成された遮光面によって防がれるため、その内側に存在する部品が外部から見えて当該車両用灯具の外観性が損なわれるという不具合が発生することがない。
【００１４】
請求項４記載の発明によれば、光源ユニットのリフレクタ又はハウジングへの組み付けに際しては、リフレクタ又はハウジングの内面の一部に形成された位置決め用リブが当該光源ユニットの組み付けの目印として機能するため、組付位置を目視で確認しながら光源ユニットを高精度に位置決めして作業性良く組み付けることができる。
【００１５】
請求項５記載の発明によれば、光源として複数のＬＥＤを搭載した光源ユニットであっても、これを高精度に位置決めしながらリフレクタ又はハウジングに作業性良く組み付けることができる。
【発明を実施するための最良の形態】
【００１６】
以下に本発明の実施の形態を添付図面に基づいて説明する。
【００１７】
図１は本発明に係る車両用灯具の側断面図、図２は同車両用灯具のＬＥＤユニットをリフレクタに組み付ける前の状態を示す斜視図、図３はＬＥＤユニットが組み付けられたリフレクタの斜視図、図４は同リフレクタの後面図、図５は図４のＡ−Ａ線断面図、図６は図のＢ−Ｂ線断面図、図７はＬＥＤユニットの斜視図である。
【００１８】
本発明に係る車両用灯具１は、図１に示すように、ハウジング２とその開口部を覆うレンズ３とで画成された灯室４内にリフレクタ５とこれに組み付けられたＬＥＤユニット６を収容して構成されている。
【００１９】
ここで、上記ＬＥＤユニット６の前面に設けられた円板状の基板７には計１２個のＬＥＤ８が実装されている。具体的には、基板７の中心に１つのＬＥＤ８が配置され、その周囲の同一円周上に１１個のＬＥＤ８が径方向に等角度ピッチで配置されている。
【００２０】
他方、上記ＬＥＤユニット６が組み込まれるリフレクタ５の円形の前部５Ａには、図２に示すように、ＬＥＤユニット６に搭載された１２個のＬＥＤ８の配置に対応して計１２個の円孔５ａが形成されており、前部５Ａの裏側の相対向する２箇所には、位置決めピン９が一体に突設されている。そして、ＬＥＤユニット６側の位置決めピン９に対応する２箇所には、位置決めピン９が挿通する不図示の位置決め孔が形成されている。
【００２１】
又、図２及び図３に示すように、リフレクタ５の前部５Ａの裏側下部には、ＬＥＤユニット６の下部が嵌合するための円弧リブ状の受け部５ｂが一体に形成されている。そして、リフレクタ５の前部５Ａから後方（図２及び図３の斜め左方）には円弧曲面状に成形された延長部５Ｂが一体に延びており、その一部にはＬＥＤ８とは別の光源である不図示のバルブが臨む開口部５ｃが形成されている。
【００２２】
ところで、図７に示すように、ＬＥＤユニット６の一側部にはブロック状のガイド突起１０が一体に形成されており、このガイド突起１０には、リフレクタ５の延長部５Ｂの円弧凹曲面状の内面に沿う円弧凸曲面状のガイド面１０Ａが形成されている。そして、ガイド突起１０のガイド面１０Ａには、ＬＥＤユニット６のリフレクタ５への組付方向（図２の矢印方向）に沿う２本のリブ１０ａが互いに平行に突設されている。又、ガイド突起１０には、リフレクタ５の延長部５Ｂの一部に形成された前記開口部５ｃの周縁に沿う円弧凹曲面状の遮光面１０Ｂが形成されている。
【００２３】
一方、図２に示すように、リフレクタ５の延長部５Ｂの内面の上下２箇所には、ＬＥＤユニット６のリフレクタ５の組付方向に沿う位置決め用リブ５ｄが互いに平行に突設されている。
【００２４】
而して、以上のように構成された車両用灯具１においては、ＬＥＤユニット６がリフレクタ５に対して図２の矢印方向に組み付けられるが、このＬＥＤユニット６のリフレクタ５への組み付けに際しては、該ＬＥＤユニット６に一体に突設されたガイド突起１０のガイド面１０Ａを図５及び図６に示すようにリフレクタ５の延長部１０Ｂの内面に嵌合させた状態でＬＥＤユニット６をスライドさせることができるため、該ＬＥＤユニット６がリフレクタ５の延長部５Ｂの内面によってガイドされて所定の位置に迅速且つ高精度に位置決めされて組み付けられる。このため、ＬＥＤユニット６をリフレクタ５に作業性良く組み付けることができる。又、このＬＥＤユニット６の組み付けに際して作業者はガイド突起１０を持ってＬＥＤユニット６をリフレクタ５に組み付けることができるため、これによっても組付作業性が高められる。尚、ＬＥＤユニット６のリフレクタ５への位置決めは、リフレクタ５側に突設された２本の位置決めピン９（図２参照）をＬＥＤユニット６側に形成された不図示の位置決め孔に挿通することによって高精度になされ、ＬＥＤユニット６は、その前端下部がリフレクタ５に形成された受け部５ｂに嵌合して受けられる。
【００２５】
特に、本実施の形態においては、ＬＥＤユニット６は多数（１２個）のＬＥＤ８を搭載しているため、そのレフレクタ５に対する位置決めは高精度になされる必要があるが、このようなＬＥＤユニット６であっても、これを高精度に位置決めしながらリフレクタ５に作業性良く組み付けることができる。
【００２６】
又、本実施の形態では、ＬＥＤユニット６のリフレクタ５への組み付けに際しては、リフレクタ５の延長部５Ｂの内面に形成された２つの位置決め用リブ５ｄが当該ＬＥＤユニット６の組み付けの目印として機能するため、組付位置を目視で確認しながらＬＥＤユニット６を高精度に位置決めして作業性良く組み付けることができる。
【００２７】
ところで、本実施の形態では、図７に示すように、ガイド突起１０のガイド面１０Ａに２本のリブ１０ａをＬＥＤユニット６の組付方向に沿って突設したため、ＬＥＤユニット６のリフレクタ５への組み付けに際して該ＬＥＤユニット６をリフレクタ５の延長部５Ｂの内面に沿ってスライドさせる動作において、ガイド突起１０のガイド面１０Ａの全面がリフレクタ５の延長部５Ｂの内面に接触するのではなく、図５に示すように、ガイド面１０Ａに突設されたリブ１０ａが接触し、その接触面積は小さいためにＬＥＤユニット６の摺動抵抗が小さく抑えられ、該ＬＥＤユニット６をスムーズにスライドさせてこれをリフレクタ５に組み付けることができる。
【００２８】
又、本実施の形態では、リフレクタ５の延長部５Ｂに開口部５ｃが形成され、この開口部５ｃにはＬＥＤユニット６のＬＥＤ８とは別の不図示の光源（バルブ）が臨むが、該光源から出射される光の開口部５ｃからの漏れは、ＬＥＤユニット６のガイド突起１０に形成された遮光面１０Ｂによって防がれるため、その内側に存在する部品が外部から見えて当該車両用灯具１の外観性が損なわれるという不具合の発生が防がれる。
【００２９】
尚、以上は光源ユニットとして複数のＬＥＤを搭載したＬＥＤユニットをリフレクタに組み付けて成る車両用灯具に対して本発明を適用した形態について説明したが、本発明は、ＬＥＤ以外の他の任意の光源を搭載した光源ユニットを備える車両用灯具の他、光源ユニットをハウジングに組み付けて構成される車両用灯具に対しても同様に適用可能であることは勿論である。
【図面の簡単な説明】
【００３０】
【図１】本発明に係る車両用灯具の側断面図である。
【図２】本発明に係る車両用灯具のＬＥＤユニットをリフレクタに組み付ける前の状態を示す斜視図である。
【図３】本発明に係る車両用灯具のＬＥＤユニットが組み付けられたリフレクタの斜視図である。
【図４】本発明に係る車両用灯具のＬＥＤユニットが組み付けられたリフレクタの後面図である。
【図５】図４のＡ−Ａ線断面図である。
【図６】図４のＢ−Ｂ線断面図である。
【図７】本発明に係る車両用灯具のＬＥＤユニットの斜視図である。
【符号の説明】
【００３１】
１      車両用灯具
２      ハウジング
３      レンズ
４      灯室
５      リフレクタ
５Ａ    リフレクタの前部
５Ｂ    リフレクタの延長部
５ａ    リフレクタの円孔
５ｂ    リフレクタの受け部
５ｃ    リフレクタの開口部
５ｄ    リフレクタの位置決め用リブ
６      ＬＥＤユニット（光源ユニット）
７      基板
８      ＬＥＤ（光源）
９      位置決めピン
１０    ＬＥＤユニットのガイド突起
１０Ａ  ガイド突起のガイド面
１０Ｂ  ガイド突起の遮光面
１０ａ  ガイド面のリブ
【図１】
2010153309.tif 000003
【図２】
2010153309.tif 000004
【図３】
2010153309.tif 000005
【図４】
2010153309.tif 000006
【図５】
2010153309.tif 000007
【図６】
2010153309.tif 000008
【図７】
2010153309.tif 000009